(57)【特許請求の範囲】
【請求項１】
一定量だけ抽出された試料水に、一定量の３−メチル−２−ベンゾチアゾロンヒドラゾン（以下、ＭＢＴＨと記載）を添加して、試料水に含有しているホルムアルデヒドをアジンに変換する第一工程と、
前記第一工程による反応が完了した後、一定量の酸化剤を添加して、試料水に残存しているＭＢＴＨを酸化型ＭＢＴＨに変換する第二工程と、
前記アジンと前記酸化型ＭＢＴＨとが結合することで、青色陽イオン色素が生成される第三工程と、
から構成される初期処理の後、
試料水に、一定量のテトラフェニルホウ酸ナトリウムを添加して、該テトラフェニルホウ酸ナトリウムから生成されたテトラフェニルホウ酸イオンと前記酸化型ＭＢＴＨとの疎水性相互作用による黄色イオン会合体と、該テトラフェニルホウ酸イオンと前記青色陽イオン色素との疎水性相互作用による青色イオン会合体と、が生成される疎水化工程を実施して、
次に試料水をメンブランフィルター（３）によって濾過する濃縮工程を実施して、
最後に前記メンブランフィルター（３）に定着した色彩と、基準となる標準色列表（４）とを目視比較して濃度を判定することを特徴とするホルムアルデヒドの測定方法。
【請求項２】
前記メンブランフィルター（３）は、硝酸セルロースを主原料とするセルロース混合エステル製であることを特徴とする請求項１記載のホルムアルデヒドの測定方法。
【発明の詳細な説明】
【技術分野】
【０００１】
本発明は、上水道などから抽出された試料水に含有しているホルムアルデヒドの測定方法に関する。
【背景技術】
【０００２】
ホルムアルデヒドは、一個の炭素原子と一個の酸素原子と二個の水素原子とから構成される比較的簡単な構造で、様々な分子を重合する性質があり、保存薬や接着剤の原料として広く使用されている。しかし誤飲などで多量に摂取された場合、網膜を始めとする全身のタンパク質を変質させて、重大な健康被害を及ぼす恐れがあり、また近年はシックハウス症候群の原因物質にも挙げられている。このような要因から、平成１６年４月１日から施行された改正水道法によって、ホルムアルデヒドは水道水１リットル当たり０．０８ｍｇ以下という水道水質基準が追加された。また水道水以外の井戸水や工場排水などについても、周辺の生活環境を悪化させないよう、必要に応じて調査が行われている。
【０００３】
水中に含有しているホルムアルデヒドの濃度の測定は、ガスクロマトグラフ−質量分析計（ＧＣ／ＭＳ）などを用いた高精度な方法が確立しており、浄水場などで公式な測定に使用されている。また他にも、試薬を用いて光学的に判定を行なう方法として、ＭＢＴＨ法、クロモトロープ酸法、ＡＨＭＴ法などが開発されており、そのうちＭＢＴＨ法については、下記特許文献が公開されている。この文献に記載されている技術は、アルデヒドの含有率が高い消毒液などを測定の対象としており、試験サンプル中に、３−メチル−２−ベンゾチアゾロンヒドラゾン（以下、ＭＢＴＨと記載）を滴下して、酸化工程などを経て、試験サンプルの色の観察によりアルデヒドの存在を決定している。
【特許文献１】特開２００２−３２８１２２号公報
【発明の開示】
【発明が解決しようとする課題】
【０００４】
ＧＣ／ＭＳによるホルムアルデヒドの濃度の測定は、高価で大掛かりな設備が必要な上、測定結果が判明するまでに少なくとも３時間程度を要する他、工程が複雑で操作に熟練を要するといった問題がある。そのためこの方法は、水道の末端や水源地など、様々な場所で直ちに測定結果を把握したいという要望に応えることができない。しかし浄水場などにおいては、公式な測定に先だって簡易な方法で予備的な測定を実施したいという要望がある他、井戸水などの安全性を自力で確認したいという要望もある。このような背景から、特別な設備や知識や技術を必要とせず、あらゆる場所で実施可能で、しかも費用や時間も抑制可能な測定方法が待ち望まれている。
【０００５】
前記のような光学的に判定を行なう方法は、一部に高精度な光学機器を必要とするものがある他、水道水について規定されている０．０８ｍｇ／Ｌといった基準値の付近では精度が不足しているものが多い。ただし一部のＭＢＴＨ法は、この基準値に対してもある程度の感度を持っている。しかしその判定は、同一の色彩において濃淡の違いだけを視覚的に比較することで実施されるため、測定者の主観が入り込みやすく、また周囲の日差しや照明の具合も誤差の要因になり精度の確保が難しい。このような背景から、測定者によってバラツキが出る可能性を排除でき、しかも光の状態などの影響を受けにくい客観性のある測定方法が待ち望まれている。
【０００６】
本発明はこうした実情を基に開発されたもので、様々な場所で簡単に実施可能で、しかも費用や時間を抑制でき、さらに精度が高く客観性にも優れている、例えば水道水などに含有しているホルムアルデヒドの測定方法の提供を目的としている。
【課題を解決するための手段】
【０００７】
前記の課題を解決するための請求項１記載の発明は、一定量だけ抽出された試料水に、一定量の３−メチル−２−ベンゾチアゾロンヒドラゾン（以下、ＭＢＴＨと記載）を添加して、試料水に含有しているホルムアルデヒドをアジンに変換する第一工程と、前記第一工程による反応が完了した後、一定量の酸化剤を添加して、試料水に残存しているＭＢＴＨを酸化型ＭＢＴＨに変換する第二工程と、前記アジンと前記酸化型ＭＢＴＨとが結合することで、青色陽イオン色素が生成される第三工程と、から構成される初期処理の後、試料水に、一定量のテトラフェニルホウ酸ナトリウムを添加して、該テトラフェニルホウ酸ナトリウムから生成されたテトラフェニルホウ酸イオンと前記酸化型ＭＢＴＨとの疎水性相互作用による黄色イオン会合体と、該テトラフェニルホウ酸イオンと前記青色陽イオン色素との疎水性相互作用による青色イオン会合体と、が生成される疎水化工程を実施して、次に試料水をメンブランフィルターによって濾過する濃縮工程を実施して、最後に前記メンブランフィルターに定着した色彩と、基準となる標準色列表とを目視比較して濃度を判定することを特徴とするホルムアルデヒドの測定方法である。
【０００８】
本発明は、試料水に含有しているホルムアルデヒドの濃度の測定方法に関するものだが、主な目的は水道水など、飲料に用いる水の安全性を判断することにあり、前記のような１リットル当たり０．０８ｍｇといった基準値の付近で高い精度が発揮できるよう考慮されている。なお測定に使用される試料水は、あらかじめ正確に計量する必要があるが、その具体的な数値は何らの限定もなく、また各試薬については、試料水の体積に応じて使用量が決定される。
【０００９】
第一工程は、正確に所定分量だけが抽出された試料水に、ＭＢＴＨを添加する工程である。これによってホルムアルデヒドがＭＢＴＨと結合してアジンが生成され、その結果ホルムアルデヒドは減少していく。なお試料水中のホルムアルデヒドは、全量をアジンに変換する必要があるため、ホルムアルデヒドの濃度が測定範囲の上限にある場合でも、全量をアジンに変換できるだけのＭＢＴＨが必要である。
【００１０】
第二工程は、試料水に酸化剤を添加する工程だが、これはアジンの生成が完全に終わった後に実施する必要がある。酸化剤は、アジンの生成に寄与できず残存しているＭＢＴＨを酸化させて、酸化型ＭＢＴＨを生成する役割がある。この酸化型ＭＢＴＨは一価の陽イオンであり、試料水中で薄い黄色を呈する。なお酸化剤は、試料水中に残存するＭＢＴＨの全量を、酸化型ＭＢＴＨに変換する必要がある。また酸化剤の種類については限定されないが、塩化第二鉄が最適である。
【００１１】
第三工程は、人為的な操作を介せずに反応が自然に進行する工程である。第一工程で添加されたＭＢＴＨは、第二工程を終えた段階で、アジンまたは酸化型ＭＢＴＨのいずれかに変化している。そしてアジン分子と酸化型ＭＢＴＨ分子は、やがて一対一で結合して「青色陽イオン色素」と称される化合物が生成される。これは一価の陽イオンであり、試料水中で薄い青色を呈する。
【００１２】
以上の工程から構成される初期処理については従来技術であり、前記の特許文献１にも類似する技術が記載されている。青色陽イオン色素は、アジンが生成されない場合（ホルムアルデヒドが存在しない）や、酸化型ＭＢＴＨが生成されない場合（ＭＢＴＨの全量がアジンに変化した）には生成されないが、ホルムアルデヒドとＭＢＴＨの分子が特定の割合で存在している場合には効率よく生成される。また酸化型ＭＢＴＨは試料水中で黄色を呈し、青色陽イオン色素は青色を呈することから、この色の違いを利用して濃度の判断が可能である。しかし色の違いは極めて微妙で視覚的に判定することは難しく、更なる工程が必要である。
【００１３】
初期処理の後に実施する疎水化工程は、試料水中に陰イオン性有機化合物の一つであるテトラフェニルホウ酸ナトリウムを添加して、酸化型ＭＢＴＨを黄色イオン会合体に、青色陽イオン色素を青色イオン会合体に、それぞれ変化させる工程である。初期処理によって生成された酸化型ＭＢＴＨおよび青色陽イオン色素は、いずれも陽イオンで水分子との親和性があり、水中に溶解可能である。しかしこれらはいずれも、水分子との親和性が低い有機物としての性格も併せ持っており、些細な要因で溶解が不可能になる場合もある。したがって試料水中にテトラフェニルホウ酸ナトリウムを添加すると、これがテトラフェニルホウ酸イオンに変化して、酸化型ＭＢＴＨおよび青色陽イオン色素と電気的に引き寄せ合い、最終的には疎水性相互作用により、酸化型ＭＢＴＨは黄色イオン会合体に、青色陽イオン色素は青色イオン会合体に変化する。なお疎水性相互作用の際、それぞれの分子が有する色彩は変化せず、当初の黄色または青色が維持される。
【００１４】
疎水性相互作用によって生成した黄色イオン会合体および青色イオン会合体は、陽イオンでも陰イオンでもなく電気的に中性な有機物であるため、親水性が失われて疎水性が顕著になっていき、次第に試料水中に浮遊し始める。そのため両イオン会合体は、フィルターなどを用いて容易に捕捉できるようになる。
【００１５】
濃縮工程は、黄色イオン会合体および青色イオン会合体だけを試料水中から回収する工程である。両イオン会合体が浮遊している試料水が呈する色彩は希薄であることから、試料水をメンブランフィルター（膜濾過器）に注いで、濾過による濃縮を行う。濾過を終えるとメンブランフィルターには、両イオン会合体の持つ色彩が濃縮されて鮮明に現れる。なおメンブランフィルターに注ぐ試料水の量については、特に制限はないが、色彩が安定して定着できる程度は最低限必要である。
【００１６】
最後は、メンブランフィルターに定着した色彩と、標準色列表とを目視比較してホルムアルデヒドの濃度を判定する工程である。標準色列表は事前に製作されているもので、ホルムアルデヒドの濃度と色彩との関係が提示されており、濃度が０ｍｇ／Ｌ、０．０２ｍｇ／Ｌ、０．０８ｍｇ／Ｌなどといった各段階ごとの色彩が並んでいる。したがってこの中からメンブランフィルターに定着した色彩に最も近い候補を選択して、そこに記載されている数値が測定値となる。なお濃度の変化に応じて色彩は、黄色・黄緑色・緑色・青緑色・青色と大きく変化するため、判定は極めて容易である。
【００１７】
請求項２記載の発明は、濃縮工程に関するもので、メンブランフィルターは、硝酸セルロースを主原料とするセルロース混合エステル製であることを特徴としている。これまでの実験結果では、このような親水性のある素材が、最も効率よく両イオン会合体を捕捉できることが判明している。一方でＰＴＦＥや酢酸セルロースなど撥水性のある素材は、捕捉性が悪くしかも色ムラも発生しやすく本発明には適さない。
【発明の効果】
【００１８】
請求項１記載の発明のように、初期処理の後、陰イオン性有機化合物であるテトラフェニルホウ酸ナトリウムを添加することで、いずれも疎水性のある黄色イオン会合体と青色イオン会合体とが生成され、この両イオン会合体は、メンブランフィルターによって効率よく捕捉できるため、濾過による濃縮で鮮明な色彩を得ることが可能になる。しかもこの色彩は、ホルムアルデヒドについて水道水質基準で規定されている０．０８ｍｇ／Ｌといった基準値の付近において、黄色・黄緑色・緑色・青緑色・青色と、濃度に応じて大きく変化していく。そのため標準色列表との比較が容易であり、従来の濃淡の違いを利用した方法に比べて、測定者の主観による差が発生しない他、周辺の光にも影響を受けにくい。また測定に際しては、定量の試料水を確保した後、三種類の試薬を順に添加して濾過を行うだけよく、マニュアルや小分けされた試薬などを用意するだけで、専門知識を有しない場合でも比較的簡単に実施できる。さらに特別な装置や危険性のある薬品を使用しないため、費用を抑制でき実施場所の制約もない。しかも本発明は三十分程度で全てが終了するため、従来に比べて大幅な時間短縮も可能である。
【００１９】
請求項２記載の発明のように、メンブランフィルターとして、硝酸セルロースを主原料とするセルロース混合エステル製で親水性のある素材を利用することで、イオン会合体を効率よく回収でき、しかも色ムラも発生しないことが判明している。
【発明を実施するための最良の形態】
【００２０】
図１は本発明を実施する際の工程を時系列で示している。各所で採集された試料水は、あらかじめ決められた一定量だけを試験管などの反応容器１に注入する。図１（Ａ）は最初に実施される第一工程で、１０ｍＬ（ミリリットル）の試料水中に濃度が８０ミリｍｏｌ／ＬのＭＢＴＨ溶液を０．５ｍＬだけ添加する。ＭＢＴＨは一個のアミノ基を持っているが、このアミノ基がホルムアルデヒドと反応して新たにアジンが生成される。したがってアジンの生成に伴いホルムアルデヒドは消滅していく。またホルムアルデヒドの完全な消滅によってアジンに変化できなかったＭＢＴＨは、そのまま試料水中に残存する。このような背景からＭＢＴＨ溶液は、測定範囲において十分な感度を示すよう、濃度や使用量を調整する必要があり、前記の数値は実験の上で決定されている。なお本図のように１０ｍＬ程度の試料水を用いた場合、常温において反応が完了するまでに最低でも５分程度は掛かるため、余裕をみて１０分程度経過した後、次の工程に進む必要がある。
【００２１】
図１（Ｂ）は第二工程および第三工程を示し、試料水中に濃度が２００ミリｍｏｌ／Ｌの塩化第二鉄を０．５ｍＬだけ添加する。この塩化第二鉄は残存するＭＢＴＨを酸化するためのもので、酸化作用があれば塩化第二鉄以外も使用可能である。前の工程でアジンに変化できず残存しているＭＢＴＨは、ここでアミノ基が酸化されて、酸化型ＭＢＴＨに変化する。この酸化型ＭＢＴＨはさらにアジンと化合して、新たに青色陽イオン色素が生成される。なお青色陽イオン色素は、アジンと酸化型ＭＢＴＨの各分子が一対一で結合する。そしてこの工程で生成された酸化型ＭＢＴＨは、試料水中でわずかに黄色を呈し、対する青色陽イオン色素は、試料水中でわずかに青色を呈する。なお第三工程も、反応が完了するまでに最低でも５分程度は掛かるため、余裕をみて１０分程度経過した後、次の工程に進む必要がある。
【００２２】
第二工程において、試料水中に当初からホルムアルデヒドが存在しない場合、アジンが生成されないため、青色陽イオン色素も生成されない。またホルムアルデヒドの濃度が高い場合、ＭＢＴＨが残存せず酸化型ＭＢＴＨが生成されないため、同様に青色陽イオン色素が生成されない。しかしアジンに対して酸化型ＭＢＴＨの分子の数が過剰の場合、効率よく青色陽イオン色素が生成される。
【００２３】
図１（Ｃ）は疎水化工程であり、酸化型ＭＢＴＨと青色陽イオン色素とを変化させる工程である。この二つの化合物は、いずれも陽イオンで水分子との親和性があるため、試料水中に溶解した状態を維持できる。しかしこの二つの化合物は、いずれも水との親和性が低い有機物という性質も併せ持っており、わずかな環境の変化により溶解した状態を維持できなくなる。具体的には、試料水中において陰イオンになる有機物（陰イオン性有機化合物）を添加することで、電気的な引き寄せ合いと疎水性相互作用が発生して、新たに溶解度の低いイオン会合体が生成される。
【００２４】
このような疎水性相互作用を発生させるため、濃度が０．０６ミリｍｏｌ／Ｌのテトラフェニルホウ酸ナトリウム溶液を５ｍＬ添加する。これによって酸化型ＭＢＴＨは、黄色イオン会合体に変化するが、同時に疎水性が生じるため、粒子状になって試料液中に浮遊し始める。なおこの際、黄色の色彩は維持される。対する青色陽イオン色素も、同様に青色イオン会合体に変化して試料水中に浮遊し始める。こちらも青色の色彩は維持される。このように生成された疎水性のある両イオン会合体は、フィルターなどで容易に分離が可能である。なおこの工程で使用するテトラフェニルホウ酸ナトリウムは、水中では溶解してテトラフェニルホウ酸イオンに変化する。
【００２５】
図１（Ｄ）は濃縮工程の前半であり、試料水の一部を注射器２によって抽出している。また図１（Ｅ）は注射器２によって抽出された試料水を、メンブランフィルター３に注いで色彩を定着する濃縮工程の後半である。なおメンブランフィルター３は、上下を板状のメンブランフィルター・ホルダー５によって挟まれており、この上面に注射器２を押し付けながら試料水を滴下していく。これに伴い黄色または青色の色彩を持つ両イオン会合体は、次第にメンブランフィルター３によって捕捉されていき、着色が徐々に濃くなっていく。しかしある程度の滴下量を過ぎると色彩の変化は止まる。したがって図１（Ｄ）における試料水の抽出量は、この色彩の変化が止まるだけの量を確保する必要がある。
【００２６】
図１（Ｆ）は、ホルムアルデヒドの濃度を判定する最後の工程である。試料水の濾過を終えたメンブランフィルター３は、メンブランフィルター・ホルダー５を外して余分な水分を落とした後、標準色列表４との比較によって濃度を判定する。標準色列表４は、測定範囲における濃度と、その際の色彩が図のように段階的に提示されており、測定者はメンブランフィルター３に定着した色彩に最も類似した色彩を選択して、この濃度を読み取って判定が行われる。なお標準色列表４に提示される実際の色彩は、左から順に黄色・黄緑色・緑色・青緑色・青色と大きく変化して一目瞭然の違いがあり、判定は極めて容易である。
【００２７】
図２は、本発明に係わる反応と各物質の化学式を示している。このように試料水中に含有しているホルムアルデヒドは、ＭＢＴＨよってアジンに変化する。またアジンに変化できなかったＭＢＴＨは、塩化第二鉄による酸化作用によって、酸化型ＭＢＴＨに変化していくが、この一部はさらにアジンと化合して、青色陽イオン色素が生成される。そして酸化型ＭＢＴＨと青色陽イオン色素は、いずれも陽イオンで試料水中に溶解しているが、テトラフェニルホウ酸イオンにより疎水性相互作用が発生して、酸化型ＭＢＴＨは黄色イオン会合体に、青色陽イオン色素は青色イオン会合体に変化して、メンブランフィルターによる濾過を経て目視比較で濃度が判明する。
【図面の簡単な説明】
【００２８】
【図１】本発明を実施する際の工程を時系列で示している図である。
【図２】本発明に係わる反応と各物質の化学式を示している図である。
【符号の説明】
【００２９】
１  反応容器
２  注射器
３  メンブランフィルター
４  標準色列表
５  メンブランフィルター
【図１】
0004769940.tif 000002
【図２】
0004769940.tif 000003